(57)【要約】【課題】環境騒音や機械発生音などの雑音下において音響診断を行うため、受音指向性が可変であり、かつ周囲環境騒音の影響を受けずに目的音を精度よく計測することのできる、巡視時に持ち運びが容易な集音器を提供する。【解決手段】伸縮可能な円筒形のフードを凹状に湾曲した反射面を有する反射板に設置することである。この円筒形フードは本集音器を向けた被検装置方向以外から進入する音の遮音する役割を持つ。また、この円筒形フードの長さを調整することで、上記の遮音効果を調整し、集音範囲を変化調整することができる。さらに、この円筒形フードを縮めることで持ち運びの際の利便性が向上する。【選択図】    図１
2006121311.tif 000002
【特許請求の範囲】
【請求項１】
凹状に湾曲した反射面を有する反射板と、
前記反射板の周囲縁から前記反射面側へ延びる、軸方向に伸縮可能な筒状の遮音フードとを備えることを特徴とする集音器。
【請求項２】
請求項１記載の集音器において、前記反射面は回転放物面形状を有することを特徴とする集音器。
【請求項３】
請求項２記載の集音器において、前記反射面の焦点位置又はその近傍にマイクロフォンを支持する支持具を有することを特徴とする集音器。
【請求項４】
請求項１〜３記載の集音器において前記遮音フードは、径の異なる複数の円筒部材を連結して構成されていることを特徴とする集音器。
【発明の詳細な説明】
【背景技術】
【０００１】
機械設備の診断手法の一つとして、マイクロフォンにより機械設備等から発生する音を集音し診断を行う音響法が広く知られている。発変電所等においてこの手法により診断を行う際、工場周辺の環境騒音あるいは隣接する機械装置の作動音等の雑音が存在するため、高Ｓ／Ｎ比を得ることが困難である。
【０００２】
特に、マイクロフォンはある程度指向性を有するが、マイクロフォンを向けた方向以外からの到達音も捕捉してしまうため、目的とする一定の方向から到達する発生音を選択的に集音する機構が必要である。
【０００３】
そこで従来より、所望の方向からの音を集中的に集音するために、回転放物面形状の反射板を配置し、その焦点又は焦点の近傍にマイクロフォンを配置するように構成したパラボラ型集音器が広く知られている。しかし、このパラボラ型集音器は回転軸方向より到来する音を集中的に捕捉することは可能であるが、所望する方向以外からの到達音も集音してしまい、測定音のＳ／Ｎ比が低下してしまう。
【０００４】
この問題点を解決するために、特許文献１には頂点と焦点の間の焦点距離の１０倍以上距離を持つ回転放物面形状の集音フードを備えた特殊深彫りパラボラ型集音器が開示されている。この特殊深彫りパラボラ型集音器は集音フードを設けることにより、被検装置以外の方向からの到達音を集音フードで遮断し、各種雑音の影響を低下しＳ／Ｎ比を向上することが可能である。
【特許文献１】特開平７−２３１４９５号公報
【発明の開示】
【発明が解決しようとする課題】
【０００５】
しかし、特許文献１の特殊深彫りパラボラ型集音器では集音フードが大きいため、音響診断のため発変電所等の巡視などを行う際に、持ち運びが困難であるという問題がある。また、音響診断の際は被検装置ごとに集音すべき音の範囲が異なるため、集音範囲が可変であることが望まれるが、上記のパラボラ型集音器及び特殊深彫りパラボラ型集音器は集音フードや反射板の形状が不可変であるために、集音範囲を変化させることができないという問題もある。
【０００６】
本発明は、上記のような従来の問題に鑑み、受音指向性が可変であり、かつ周囲環境騒音の影響を受けずに目的音を精度よく計測することのできる、巡視時に持ち運びが容易な集音器を提供することを目的とする。
【課題を解決するための手段】
【０００７】
上記の目的を達成するため、請求項１の発明は凹状に湾曲した反射面を有する反射板と、前記反射板の周囲縁から前記反射面側へ延びる、軸方向に伸縮可能な筒状の遮音フードとを備えることを特徴とするものである。
【０００８】
この特徴により、環境騒音や設備機器騒音などの雑音下においても筒状の遮音フードの中心軸を被検装置の方向にむけることで、それ以外の方向からの到達する各種雑音を遮音フードにより遮断することができるため、高Ｓ／Ｎ比での測定が可能となる。
【０００９】
また、請求項２に係る集音器は反射板で反射した音が効率よく一点に集まるよう、反射板を回転放物面形状としている。
【００１０】
また、請求項３に係る集音器は前記反射面の焦点位置又はその近傍にマイクロフォンを支持する支持具を有する。
【００１１】
また、請求項４に係る集音器は請求項１〜３記載の集音器において前記遮音フードが、径の異なる複数の円筒部材を連結して構成されている。
【００１２】
音源の幅が広いなどの理由で、広い集音範囲が期待されている場合には、円筒形フードの長さを変化させることで、中心軸の方向以外から進入する音の遮音効果を調整することができ、これにより集音範囲を変えることが可能になる。
【００１３】
さらに、発変電所などを巡視する際には円筒形のフードを縮めることにより、遮音フードを含めたセンサ全体がコンパクトになり持ち運びが容易になる。
【発明の効果】
【００１４】
本発明は上記構造により、中心軸の方向以外から進入する音を円筒形フードで遮断し、周囲環境騒音の影響を減少させることができる。また、この円筒形の集音フードの長さを調整することで、測定対象物に合わせて集音範囲を変化させることができる。
【００１５】
さらに、凹状に湾曲した反射面を有する反射板を設置し、反射板に入射した音をマイクロフォンに集中させることで目的音を精度よく計測することが可能になる。また、上記の円筒形フードは伸縮可能であり、円筒フードを縮めることで持ち運びの利便性が向上する。  
【発明を実施するための最良の形態】
【００１６】
以下に本発明の実施形態について図面を用いて説明する。図１は本発明の一実施形態に関わる集音器の軸方向断面図である。
【００１７】
本実施形態の集音器は図１に示すように、凹状に湾曲した反射面２ａを持つ反射板２と、その外周縁に連結された円筒形フード１で構成されている。反射面２ａは好ましくは回転放物面形状を有し、入射した音を反射して、その焦点位置に設置したマイクロフォン７近傍に集音する。円筒形フード１及び反射板２は軽量で高強度な材料、例えば樹脂などにより形成される。
【００１８】
上記円筒形フード１は第一段円筒体３、第二段円筒体４、第三段円筒体５の径の異なる複数の円筒体で構成されている。第一円筒体３の外径は第二円筒体４の内径よりも小さく、第二円筒体４の外径は第三円筒体５の内径よりも小さい。このため、第三円筒体５の内部に第二円筒体が、第二円筒体の内部に第一円筒体が入り込み、円筒形フード１全体の長さを縮めることができる。
【００１９】
また、円筒体３〜５には突起３ａ、４ａ、４ｂ、５ａが設けられている。図１に示すように円筒形フード１を伸ばした時に、３ａと４ａ、４ｂと５ａが係合することにより、円筒体同士が離れてしまうことが防止される。
【００２０】
上記第一段円筒３の内側にはマイクロフォンを支持する支柱６が設けられている。この支柱は凹型反射板２で反射した音が集中する点（すなわち反射面２の焦点）、もしくはその近傍にマイクロフォンを固定するためのものである。さらに、この集音器には、集音器を手で把持しその円筒形フード３の開口を所望の方向に向けるための手持ちグリップ８が設けられている。第二段円筒体４、第三段円筒体５には、縮めた時にこれらの円筒体４，５とグリップ８とが干渉しないように、グリップ８に対応する部分には切り欠きが設けられている。
【００２１】
次に作用を説明する。
図１に示すように中心軸９の方向より到達した入射音１０は円筒形フード１の開口部より内部に進入するが、中心軸９に対して一定以上の角度で到達する音１１は、円筒形フード１により遮断される。
【００２２】
このため中心軸９を所望の音源方向に向けることで、周囲の雑音の影響を低減することができる。また、開口部より進入し凹型反射板２に到達した音１０は反射面２ａで反射し、焦点ないしはその近傍に集音される。
【００２３】
また、円筒形フード１は上記の通り伸縮可能であり、図１は伸ばした状態、図２は縮めた状態である。図２に示すように円筒形フード１を縮めると、伸ばした状態（図１）に比べて、反射面２ａに到達する入射音１０の範囲が広くなり、結果として集音範囲の幅を広くすることができる。
【００２４】
このように音源の幅に合わせて、円筒形フード１の長さを調整することで、最適な集音範囲での集音が可能になる。
【００２５】
さらに、発変電所内等の施設内を持ち運ぶ際には、図２のように円筒形フード１を最も縮めた状態にすることで持ち運びが容易になる。
【図面の簡単な説明】
【００２６】
【図１】本発明の集音器の円筒形集音フードを伸ばした状態の断面図である。
【図２】本発明の集音器の円筒形集音フードを縮めた状態の断面図である。
【符号の説明】
【００２７】
１  円筒形フード
２  凹型反射板
３  第１段円筒体
４  第２段円筒体
５  第３段円筒体
６  支持柱
７  マイクロフォン
８  手持ちグリップ
９  中心軸
１０入射音
【図１】
2006121311.tif 000003
【図２】
2006121311.tif 000004